(57)【要約】【課題】  コンクリートブロック塀の基礎スラブを施工するにおいて、型枠の組立・解体作業をなくして作業効率を高めるとともに、基礎立上がり部分の施工がコンクリートの養生を待たずに可能となり、また、基礎スラブの主筋及び配力筋、ブロック塀壁体の縦筋の組立作業が簡便となることで施工の合理化を図るためのコンクリートブロック塀用型枠状基礎スラブブロックを提供する。【解決手段】  対向する一対のフェイスシェル１１と、対向する一対の主ウェブ１２と、副ウェブ１３とで形成された直方体形状の型枠状基礎スラブブロックであって、鉄筋を挿通するための主筋・縦筋挿通凹溝１８と、配力筋挿通凹溝１９とを有している。【選択図】  図２
0003122098.tif 000002
【実用新案登録請求の範囲】
【請求項１】
コンクリートブロック塀の基礎スラブにおいて、直方体形状の型枠ブロックの外殻が対向する一対のフェイスシェル（１１）で形成され、前記対向する一対のフェイスシェル（１１）の内殻側に、前記対向する一対のフェイスシェル（１１）と直交して前記対向する一対のフェイスシェル（１１）を連結固定し、配力筋（１５）を挿通する配力筋挿通凹溝（１９）を前記対向する一対のフェイスシェル（１１）の近傍上面に有する対向する主ウェブ（１２）と、前記対向する一対の主ウェブ（１２）の内殻側中央部分に、前記対向する一対の主ウェブ（１２）と直交して前記対向する一対の主ウェブ（１２）を連結固定し、主筋（１４）と縦筋（１６）を支持する副ウェブ（１３）と、前記対向する一対のフェイスシェル（１１）の内殻側中央部分に、前記主筋（１４）と前記縦筋（１６）を挿通し固定する主筋・縦筋挿通凹溝（１８）が対向して形成されていることを特徴とするコンクリートブロック塀用型枠状基礎スラブブロック。
【考案の詳細な説明】
【技術分野】
【０００１】
本考案は、コンクリートブロック塀の施工の合理化を図るためのコンクリートブロック塀の基礎構造に関する。
【背景技術】
【０００２】
従来のコンクリートブロック塀は、図６に示すように、地表面Ｇに根切りされた掘削溝３１に地業３０を施工し、この地業３０上に支保工３２にて縦筋１６を所定間隔毎に立設保持し、主筋１４及び配力筋１５を配設し、型枠３３を組立て、型枠３３内にコンクリートを打設し、コンクリートを一日間養生した後、基礎立上がり部分２３を施工し、型枠３３及び支保工３２を解体し、掘削溝３１を地表面Ｇの高さまで埋戻した後に縦筋１６に複数のコンクリートブロック２４を積み上げ、モルタル等で固定して構築する構造となっていた。
【０００３】
したがって、コンクリートブロック塀の基礎を施工する場合に型枠の組立・解体作業を行わなければならず、また、コンクリートの養生期間（通常一日間）を経なければ、基礎立上がり部分の施工ができず、早くても翌日にしか基礎立上がり部分の施工ができないので、作業工程を要するという問題があった。また、主筋、配力筋及び縦筋の組立作業を行うのに支保工にて立設保持しなければならず、作業工程が煩わしく熟練を要するという問題があった。
【０００４】
上記問題を解決するために、以下に示す実用新案登録「組積形式による一体式捨て型枠」が存在する。（特許文献１参照）この考案は、一体式捨て型枠を採用し、この型枠をはずすことなく一回のコンクリートの打ち込みにより基礎を完成させ、基礎工事の単価を下げることを目的として開発された。前記特許文献１に記載された考案は、「布基礎の型枠として、型枠コンクリートブロック及びコンクリートブロック等を用いる。その型枠をはずすことのない捨て型枠として使用し、底盤部と立上がり布部をコンクリートを打ち継ぐことなく、同時に１回の打ち込みにより基礎が完成するようにしたことを特徴とする組積形式による一体式捨て型枠」である。
【０００５】
上記特許文献１の請求項１の考案によれば、組積形式による一体式捨て型枠は、一回の打ち込みにより、底盤部と布部とのコンクリートの打ち継ぎがなくなるために、構造的に安定することは勿論、型枠をはずすことなく基礎として使用でき、一回のコンクリートの打ち込み養生後に基礎は完成するので、施工時間は短縮、労力は軽減され、そして単価は下がるものと考えられる。
【特許文献１】実登第３０１２３２６号公報（第２頁，図１）
【考案の開示】
【考案が解決しようとする課題】
【０００６】
しかしながら、上記考案は、基礎部と布部の一体式型枠が全てセットした後でないとコンクリートが打設できず、思うように施工時間は短縮できないので、従来の問題を完全に解決できたとはいえない。また、基礎部と布部の主筋及び配力筋を組立てるのに熟練を要するという問題が残っている。さらに、コンクリートを打設する場合に、基礎部の型枠コンクリートブロック内の状況が目視できないので、品質管理が確実にできないという問題が残っている。
【０００７】
そこで、本考案は、このような問題を解決するためになされたものであり、コンクリートブロック塀の基礎スラブを施工するにおいて、型枠の組立・解体作業をなくして作業効率を高めるとともに、基礎立上がり部分の施工がコンクリートの養生を待たずに可能となり、また、基礎スラブの主筋及び配力筋、ブロック塀壁体の縦筋の組立作業が簡便となることで施工の合理化を図るためのコンクリートブロック塀用型枠状基礎スラブブロックを提供することを目的とする。
【課題を解決するための手段】
【０００８】
上記課題を解決するために本考案は、コンクリートブロック塀の基礎スラブにおいて、直方体形状の型枠ブロックの外殻が対向する一対のフェイスシェルで形成され、前記対向する一対のフェイスシェルの内殻側に、前記対向する一対のフェイスシェルと直交して前記対向する一対のフェイスシェルを連結固定し、配力筋を挿通する配力筋挿通凹溝を前記対向する一対のフェイスシェルの近傍上面に有する対向する一対の主ウェブと、前記対向する一対の主ウェブの内殻側中央部分に、前記対向する一対の主ウェブと直交して前記対向する一対の主ウェブを連結固定し、主筋と縦筋を支持する副ウェブと、前記対向する一対のフェイスシェルの内殻側中央部分に、前記主筋と前記縦筋を挿通し固定する主筋・縦筋挿通凹溝が対向して形成されているコンクリートブロック塀用型枠状基礎スラブブロックを採用したのである。
【０００９】
本考案に用いるフェイスシェル、主ウェブ、副ウェブは、即脱式コンクリートを用いて製造され、直方体形状の型枠ブロックの外寸は、幅が４００〜５７０ｍｍ、長さが４００ｍｍ、高さが１５０ｍｍであり、フェイスシェルの厚さは２５〜３５ｍｍ、主ウェブの厚さは３５〜５０ｍｍ、副ウェブの厚さは３５〜５０ｍｍである。
【００１０】
また、本考案に用いるフェイスシェルの内殻側に対向して形成された主筋・縦筋挿通凹溝の幅は２５〜３０ｍｍ、奥行きが２５〜３０ｍｍであり、１０〜１３ｍｍの主筋及び縦筋を上部から挿通する構造となっている。また、主ウェブのフェイスシェルの近傍上面に有する配力筋挿通凹溝の幅は１５〜２０ｍｍであり、１０〜１３ｍｍの配力筋を上部から挿通する構造となっている。
【００１１】
また、本考案に用いるフェイスシェル、主ウェブ、副ウェブは、即脱式コンクリートではなく通常の有スランプコンクリートを用いて製造してもよい。
【考案の効果】
【００１２】
以上のように、請求項１に係る考案によれば、型枠状基礎スラブブロックの構成が直方体形状の型枠ブロックであり、その外殻が対向する一対のフェイスシェルで形成されているので、型枠の組立・解体作業がなくなる。また、主ウェブと一対のフェイスシェル上に基礎立上がり部分の型枠ブロックを積み上げることができるので、基礎立上がり部分の施工が基礎スラブの施工後連続して行うことができ、その分施工時間を短縮することができる。また、縦筋が主筋・縦筋挿通凹溝に立設保持できるので、支保工が不要となり、作業工程が簡便となるので、熟練を要さずに鉄筋を組立てることができる。さらに、型枠状基礎スラブブロックがスケルトン構造なので、コンクリートを打設する場合に型枠状基礎スラブブロック内の状況を上部より目視でき、品質管理が確実にできる。以上により、従来の問題を解決することができる。
【考案を実施するための最良の形態】
【００１３】
以下、本考案の実施の一形態について、実施例となる図面を参酌しながら説明する。
【実施例１】
【００１４】
図１は、本考案の実施例１に係る型枠状基礎スラブブロックが採用されたコンクリート塀（Ｌ形基礎）の一部断面を示す斜視図である。また、図２は、型枠状基礎スラブブロック（中間部で使用するもの）の構造を示す斜視図、図３（Ａ）は、型枠状基礎スラブブロックの平面図、（Ｂ）は、Ａ−Ａ断面図、（Ｃ）は、Ｂ−Ｂ断面図である。
【００１５】
図１乃至図３に示すように、型枠状基礎スラブブロック１０は対向する一対のフェイスシェル１１（幅４００ｍｍ、長さ４００ｍｍ、高さ１５０ｍｍ、厚さ２５ｍｍ）と、一対のフェイスシェル１１の内殻側に、一対のフェイスシェル１１と直交して、一対のフェイスシェル１１を連結固定する対向する一対の主ウェブ１２（高さ１５０ｍｍ、厚さ３５ｍｍ）と、一対の主ウェブ１２と直交して一対の主ウェブ１２を連結固定し、主筋１４（径１３ｍｍ）と縦筋１６（径１３ｍｍ）を支持する副ウェブ１３（高さ６０ｍｍ、厚さ３５ｍｍ）とから形成され、一対のフェイスシェル１１の内殻側中央部分に、主筋１４と縦筋１６を挿通し固定する主筋・縦筋挿通凹溝１８（幅３０ｍｍ、奥行き３０ｍｍ）を対向して形成し、一対の主ウェブ１２のフェイスシェル１１の近傍上面に配力筋１５（径１３ｍｍ）を挿通する配力筋挿通凹溝１９（幅２０ｍｍ）を有している。
【００１６】
また、図１乃至図３に示す型枠状基礎スラブブロック１０は、即脱式コンクリートを用いて製造されたものであることが好ましい。
【００１７】
即脱式コンクリートとは、通常の有スランプコンクリートに比べて流動性がほとんどないゼロスランプのコンクリートを型枠に打設した後に、振動を与えながら圧力を加えて製造するものであり、通常の有スランプコンクリートを用いて製造する場合に比べて型枠が即時脱型できるので、コンクリートの養生期間を短縮することができるとともに、型枠の転用回数を増やすことができるという特徴を有する。
このような構成とすることにより、型枠状基礎スラブブロックの単価を下がることができる。
【実施例２】
【００１８】
図４（Ａ）は、本考案の実施例２に係る型枠状基礎スラブブロックの変形例（Ｔ形基礎）を示す断面図であり、（Ｂ）はその斜視図である。実施例１のようなＬ形基礎との違いは、縦筋１６の位置をフェイスシェル１１側から副ウェブ１３上に移動させ、縦筋１６を立設保持するための段取筋１７と段取筋１７を挿通する段取筋凹溝２０を有する構成としたことであり、これにより本体構造の軽微な変更のみでＴ形基礎にも対応できる。実施例１のようなＬ形基礎の方が、隣地境界ぎりぎりにコンクリート塀を施工することができるが、隣地境界に余裕があり、経済性を求める場合には、このようなＴ形基礎を用いる。
【００１９】
図５（Ａ）〜（Ｄ）は、本考案の実施例１に係る型枠状基礎スラブブロックが採用された基礎スラブの立上がり部分に型枠状ブロック、ブロック塀壁体に空洞ブロックを積み上げ固定したコンクリートブロック塀の施工工程を示す斜視図であるが、この図を用いて施工工程について説明する。
【００２０】
（１）地表面Ｇを根切りして掘削溝３１を形成した後、地業３０を形成する。（図５（Ａ））
（２）地業３０上に、一対のフェイスシェル１１の端面１１ａが向き合うように、型枠状基礎スラブブロック１０を複数個敷設し、主筋・縦筋挿通凹溝１８に主筋１４と縦筋１６を挿通して固定し、配力筋挿通凹溝１９に配力筋１５を挿通して固定した後、型枠状基礎スラブブロック１０の空洞部分２２にコンクリートを打設してコンクリートブロック塀１の基礎スラブを形成する。なお、縦筋１６を固定するため、ブロック塀壁体の配力筋２９と縦筋１６を結束線にて緊結固定する。（図５（Ｂ））
（３）コンクリートブロック塀１の基礎スラブを形成した後、基礎立上がり部分の下段の配力筋２７ａをコンクリートブロック塀１の延長方向に仮に配設し、基礎立上がり部分の型枠状ブロック２３を２段組み上げ固定し、基礎立上がり部分の上段の配力筋２７をコンクリートブロック塀１の延長方向に配設し、基礎立上がり部分の主筋２８を基礎立上がり部分の型枠状ブロック２３内に配設して基礎立上がり部分の配力筋２７、２７ａに固定し、基礎立上がり部分の型枠状ブロック２３内の空洞部分２５内にコンクリートを打設してコンクリートブロック塀１の基礎立上がり部分を形成し、地表面Ｇの高さまで掘削溝３１を埋戻しする。なお、コンクリートブロック塀１の施工延長が短い場合は、上記（２）の工程において、立上がり部分の型枠状ブロック２３を２段積み上げ固定して基礎立上がり部分の主筋２８及び配力筋２７、２７ａを配設固定した後に、型枠状基礎スラブブロック１０の空洞部分２２と、基礎立上がり部分の型枠状ブロック２３内の空洞部分２５内に同時にコンクリートを打設する。（図５（Ｃ））
（４）基礎立上がり部分を形成した後、ブロック塀壁体の配力筋２９を所定の位置に配設し、縦筋１６に固定しながら、ブロック塀壁体の空洞ブロック２４を複数個積み上げ、モルタル等で固定してコンクリートブロック塀１を形成する。（図５（Ｄ））
【実施例３】
【００２１】
図７は、本考案の実施例３に係る図２における型枠状基礎スラブブロック１０の変形例であり、コンクリートブロック塀１の端部において使用する。実施例１のようなコンクリートブロック塀１の中間部で使用する場合との違いは、対向する一対のフェイスシェル１１の端面１１ａが主ウェブ１２と一体となっていること（一対の主ウェブ１２の片側のみ）と、コーナー部分でも配力筋１５が挿通可能なように一対のフェイスシェル１１の上面に鉄筋挿通凹溝２１を有していることである。
【図面の簡単な説明】
【００２２】
【図１】本考案の実施例１に係る型枠状基礎スラブブロックが採用されたコンクリートブロック塀（Ｌ形基礎）の一部断面を示す斜視図である。
【図２】上記型枠状基礎スラブブロック（中間部で使用するもの）の構造を示す斜視図である。
【図３】（Ａ）は、上記型枠状基礎スラブブロックの平面図、（Ｂ）はＡ−Ａ断面図、（Ｃ）はＢ−Ｂ断面図である。
【図４】（Ａ）は、本考案の実施例２に係る上記型枠状基礎スラブブロックの変形例（Ｔ形基礎）を示す断面図であり、（Ｂ）はその斜視図である。
【図５】（Ａ）〜（Ｄ）は、上記実施例１で示した型枠状基礎スラブブロックが基礎スラブ部分に、型枠状ブロックが基礎立上がり部分に、空洞ブロックがブロック塀壁体部分に採用された場合のコンクリートブロック塀の施工工程の説明図である。
【図６】従来のコンクリートブロック塀の基礎スラブの施工方法を示す斜視図である。
【図７】本考案実施例３に係る上記型枠状基礎スラブブロックの変形例（端部で使用するもの）の構造を示す斜視図である。
【符号の説明】
【００２３】
１      コンクリートブロック塀
１０    型枠状基礎スラブブロック（中間部で使用するもの）
１０ａ  型枠状基礎スラブブロック（端部で使用するもの）
１１    フェイスシェル
１１ａ  フェイスシェルの端面
１２    主ウェブ
１３    副ウェブ
１４    型枠状基礎スラブブロック内の主筋
１５    型枠状基礎スラブブロック内の配力筋
１６    縦筋
１７    段取筋
１８    型枠状基礎スラブブロック内の主筋及び縦筋を挿通するための主筋・縦筋挿通凹溝
１９    型枠状基礎スラブブロック内の配力筋を挿通するための配力筋挿通凹溝
２０    段取筋を挿通するための段取筋挿通凹溝
２１    鉄筋を挿通するための鉄筋挿通凹溝
２２    型枠状基礎スラブブロック内の空洞部分
２３    基礎立上がり部分の型枠状ブロック
２４    ブロック塀壁体部分の空洞ブロック
２５    基礎立上がり部分の型枠状ブロックの空洞部分
２６    ブロック塀壁体の縦目地空洞部分
２７    基礎立上がり部分の上段の配力筋
２７ａ  基礎立上がり部分の下段の配力筋
２８    基礎立上がり部分の主筋
２９    ブロック塀壁体部分の配力筋
３０    地業
３１    掘削溝
３２    支保工
３３    型枠
Ｇ      地表面
【図１】
0003122098.tif 000003
【図２】
0003122098.tif 000004
【図３】
0003122098.tif 000005
【図４】
0003122098.tif 000006
【図５】
0003122098.tif 000007
【図６】
0003122098.tif 000008
【図７】
0003122098.tif 000009